(57)【要約】【課題】従来の原稿サイズ検知では、原稿カバーを閉じた場合と開けた場合の２つの場合で原稿読取データを必要とするので、装置の種々の状態によっては原稿カバー開状態のデータを正しく取得できず、原稿サイズを検出できないことがあった。【解決手段】原稿を載置する原稿台と、前記原稿台をカバーする開閉可能な原稿カバーと、前記原稿台に載置された原稿に対し光源から光を照射し、該原稿からの反射光を受光して前記原稿の画像を読取る読取手段とを備えた画像読取装置で以下の処理を実行する。即ち、原稿が載置され前記原稿カバーが閉じられた状態で、前記読取手段により受光した光の輝度分布から前記原稿の紙紋を求める。そして、該紙紋の存在する領域に基づいて、前記原稿台の上に載置された前記原稿のサイズを特定する。【選択図】  図６
2018088603.tif 000002
【特許請求の範囲】
【請求項１】
原稿を載置する原稿台と、
光源から前記原稿台へ照射される光の反射光を受光可能な受光手段と、
前記受光手段により受光した受光結果から前記原稿の紙紋を取得し、該紙紋の領域に基づいて、前記原稿台の上に載置された前記原稿のサイズを判定する判定手段とを有することを特徴とする画像読取装置。
【請求項２】
前記原稿台に対して開閉可能な原稿カバーをさらに有し、
前記判定手段は、前記原稿カバーが閉状態である場合に、前記原稿台上の原稿サイズを判定することを特徴とする請求項１に記載の画像読取装置。
【請求項３】
前記受光手段を含み、前記受光結果から前記原稿の画像を読み取る読取手段をさらに有し、
前記受光手段は、第１の方向に配列した複数の読取素子を備え、
前記判定手段は、前記第１の方向に関する前記原稿のサイズを判定することを特徴とする請求項２に記載の画像読取装置。
【請求項４】
前記読取手段を前記第１の方向とは異なる第２の方向に移動させる移動手段をさらに有し、
前記判定手段は、前記読取手段を前記移動手段により前記第２の方向に移動させながら予め定められたライン数の画像を読取り、該読取りにより得られるデータを用いて、前記第１の方向に関する前記原稿のサイズを判定することを特徴とする請求項３に記載の画像読取装置。
【請求項５】
前記判定手段はさらに、前記移動手段により前記読取手段を移動させ前記原稿を読取ることにより得られたデータを用いて前記第２の方向に関する前記原稿のサイズを判定することを特徴とする請求項４に記載の画像読取装置。
【請求項６】
前記第２の方向に沿って設けられ、前記原稿の存在の有無を検知する複数のセンサをさらに有し、
前記判定手段はさらに、前記複数のセンサによる検知の結果に基づいて前記第２の方向に関する前記原稿のサイズを判定することを特徴とする請求項４に記載の画像読取装置。
【請求項７】
前記第１の方向と前記第２の方向にそれぞれに関する前記原稿のサイズに基づいて前記原稿のサイズを求めることを特徴とする請求項５又は６に記載の画像読取装置。
【請求項８】
前記原稿カバーの開閉の状態を検知する検知手段をさらに有し、
前記判定手段は、前記検知手段による検知の状態に基づいて、前記原稿カバーが閉じ始められたタイミングで前記判定手段により前記原稿のサイズが判定させる第１のデータと、前記原稿カバーが閉められたタイミングで前記判定手段により前記原稿のサイズが判定される第２のデータとに基づいて前記原稿のサイズを判定することを特徴とする請求項２乃至７のいずれか１項に記載の画像読取装置。
【請求項９】
前記紙紋は、紙の繊維により形成される前記原稿に特有のパターンであることを特徴とする請求項１乃至８のいずれか１項に記載の画像読取装置。
【請求項１０】
前記判定手段は、前記受光手段によって取得される受光結果の輝度分布から得られる輝度値の変動が予め定められた範囲にあるかによって前記紙紋を取得し、前記輝度値の変動が前記予め定められた範囲にある場合に、前記輝度値の変動が存在する領域を前記紙紋として取得し前記原稿が存在する範囲と判定し、前記輝度値の変動が前記予め定められた範囲外であり、かつ予め定められた輝度値より輝度値が高い領域を前記紙紋がなく前記原稿が存在しない範囲と判定することを特徴とする請求項９に記載の画像読取装置。
【請求項１１】
原稿を載置する原稿台と、光源から前記原稿台へ照射される光の反射光を受光可能な受光手段とを備えた画像読取装置の原稿サイズ検知方法であって、
前記受光手段により受光した受光結果から前記原稿の紙紋を取得し、該紙紋の領域に基づいて、前記原稿台の上に載置された前記原稿のサイズを判定することを特徴とする原稿サイズ検知方法。
【発明の詳細な説明】
【技術分野】
【０００１】
本発明は画像読取装置、及びその原稿サイズ検知方法に関し、特に、例えば、原稿台上に載置された原稿に記録された画像を光学的に読取る画像読取装置、及びその原稿サイズ検知方法に関する。
【背景技術】
【０００２】
従来より、原稿の画像を読取る画像読取装置では、原稿のサイズや原稿台ガラス上の原稿の有無を自動検出する機能を備えたものが用いられている。その原稿サイズは、例えば、原稿読取用のＣＣＤなどの読取素子とこれとは別に設けられた原稿検知センサとの２つの検出結果に基づいて検出する方法がある。
【０００３】
ＣＣＤを原稿サイズ検出に用いる場合、原稿台ガラスの下側から載置された原稿に向けて光源から光を照射し、その反射光をＣＣＤで読取って原稿の特定方向の幅を検出する。例えば、特許文献１が開示する方法によれば、原稿カバーを完全に閉じる前の状態と原稿カバーが完全に閉じられた状態の両方の状態において、原稿に光源から光を照射し、その反射光をＣＣＤで読取る。こうして読取ったデータを用いて、白データに相当する領域を原稿領域、黒データに相当する領域を原稿外領域と判別する。そして、原稿カバーを完全に閉じる前の状態と原稿カバーが完全に閉じられた状態のそれぞれの状態で取得された２つの読取りデータを比較することで原稿の特定方向の長さに関する検出精度を向上させている。
【先行技術文献】
【特許文献】
【０００４】
【特許文献１】特開平９−１９１３７０号公報
【発明の概要】
【発明が解決しようとする課題】
【０００５】
しかしながら上記従来例では、原稿カバーの開状態と閉状態の２つの状態での読取データを必要とするため、以下のような場合、原稿カバーの開状態のデータが正しく取得できず、原稿の特定方向の長さを検出できないという問題があった。
【０００６】
即ち、
・ユーザが原稿カバーをすばやく閉じた場合、
・画像読取装置が節電モードにあり、スリープ状態の際に原稿を原稿台ガラスにセットして原稿カバーを閉じてからスリープ状態から通常の待機状態へ移行した場合、
・画像読取装置の電源がＯＦＦ状態で原稿を原稿台ガラスにセットして原稿カバーを閉じてから電源をＯＮ状態にした場合
などである。
【０００７】
上記のいずれの場合が発生しても原稿カバーの開状態のデータが正しく取得できず、その結果、原稿の特定方向のサイズが検出できなくなる。
【０００８】
本発明は上記従来例に鑑みてなされたもので、より精度よく原稿のサイズを検出することが可能な画像読取装置、及びその原稿サイズ検知方法を提供することを目的とする。
【課題を解決するための手段】
【０００９】
上記目的を達成するために本発明の画像読取装置は次のような構成からなる。
【００１０】
即ち、原稿を載置する原稿台と、光源から前記原稿台へ照射される光の反射光を受光可能な受光手段と、前記受光手段により受光した受光結果から前記原稿の紙紋を取得し、該紙紋の領域に基づいて、前記原稿台の上に載置された前記原稿のサイズを判定する判定手段とを有することを特徴とする。
【発明の効果】
【００１１】
本発明によれば、より精度よく原稿台に載置された原稿のサイズを検出できる。
【図面の簡単な説明】
【００１２】
【図１】本発明の代表的な実施例である光学的に原稿の画像を読取る画像読取部を備えた複写機システムの概観斜視図である。
【図２】図１に示した複写機システムの内部構成を示すブロック図である。
【図３】図１に示した複写機システムに備えられた画像読取部の概略構成を示す上面図である。
【図４】副走査方向に原稿を所定ライン数分、読取って得られる画像を示す図である。
【図５】主走査方向に関する原稿のサイズと画像読取により得られた主走査方向の輝度との関係を示す図である。
【図６】主走査方向の原稿サイズ検出処理を示すフローチャートである。
【図７】原稿のサイズ検出処理を示すフローチャートである。
【図８】ＡＤＦ開閉時の原稿サイズ検出処理を示すフローチャートである。
【発明を実施するための形態】
【００１３】
以下添付図面を参照して本発明の好適な実施例について、さらに具体的かつ詳細に説明する。
【００１４】
なお、この明細書において、「シート（又は、記録媒体）」とは、一般的な画像読取装置で用いられる画像の原稿用紙や印画紙のみならず、広く、布、プラスチック・フィルム（ＯＨＰ）、金属板、木材、皮革等、画像の記録が可能な媒体を含むものである。
【００１５】
＜画像読取装置の概要（図１〜図２）＞
図１は本発明の代表的な実施例に従う画像読取部を備えた複写機システムの概略斜視図である。
【００１６】
図１に示す複写機システムは、画像形成部２００と、画像読取部２０１と、自動原稿給送部（Auto Document Feeder：ＡＤＦ）２０２と、ディスプレイや入力キーを備える操作パネル２０７とから構成される。
【００１７】
画像形成部２００は、入力画像データに基づいて電子写真方式に従って画像を形成するプリンタエンジンを備える。なお、このプリンタエンジンは電子写真方式に従うものだけではなく、例えば、インクジェット方式に従うものでも良い。いすれにしても、画像形成部２００は、画像読取部２０１が原稿を読取ることにより得られた画像データや後述するインタフェースを介して外部装置から入力した画像データに基づいて、記録媒体に画像を形成する。
【００１８】
画像読取部２０１は、原稿の画像を光学的に読取り、画像データを生成する。なお、画像読取部の詳細な構成については後述する。ＡＤＦ２０２は、原稿トレイ２０３と原稿検知センサ２０４を備えている。原稿検知センサ２０４は原稿束が原稿トレイ２０３上に載置されているどうかを検知する。また、ＡＤＦ２０２はヒンジ２０５によって原稿台ガラス２０６に対して開閉可能になっている。
【００１９】
ＡＤＦ２０２が原稿トレイ２０３上に原稿束が載置されていることを検知した場合、ＡＤＦ２０２が原稿束から原稿を一枚ずつ分離して、その原稿を画像読取部２０１に給送することで原稿の画像読取りを行う。一方、原稿トレイ２０３上に原稿束が載置されていない場合は、画像読取部２０１が原稿台ガラス２０６上の原稿の画像読取りを行う。また、ＡＤＦ２０２を閉じた場合に原稿台ガラス２０６と接する部分は、原稿台ガラス２０６に載置された原稿を原稿台ガラス２０６側へ押圧する原稿押圧部（不図示）が構成されている。さらに、この原稿押圧部は、白い部材で構成されている。
【００２０】
図２は図１に示した複写機システムの内部構成を示すブロック図である。
【００２１】
図２に示されるように、複写機システムは、図１に示した画像形成部２００と画像読取部２０１と操作パネル２０７に加えて、ＣＰＵ１０１とＲＡＭ１０２とＲＯＭ１０３と通信Ｉ／Ｆ１０４と原稿カバー開閉センサ１０８とスキャンモータ１０９とを備える。そして、これらの構成要素は、システムバス１００を介して相互に接続される。
【００２２】
ＣＰＵ１０１は、ＲＯＭ１０３に格納された、ファームウェアプログラムやファームウェアプログラムを制御するためのブートプログラムを読出し、ＲＡＭ１０２を作業領域及びデータの一時記憶領域として使用して実行し、装置全体の動作を制御する。通信Ｉ／Ｆ１０４は、ホストコンピュータやネットワークなどの外部装置等と接続し、転送される画像データを受信する。ユーザは操作パネル２０７により複写機システムの各種設定を行ったり、その動作確認を行ったりする。
【００２３】
画像形成部２００は上述のように、画像読取部２０１により原稿を読取って得られた画像データや外部装置より転送された画像データに基づいて画像を記録媒体に形成する。画像読取部２０１は、ＣＣＤなどで構成される読取センサ及びＬＥＤ等の光源で構成され、原稿を読取って画像データを取得したり、特定方向の原稿長を検知したり、原稿の有無を判断したりする。
【００２４】
原稿カバー開閉センサ１０８は、原稿カバーが開いたことを検知したり閉じる際にその角度が原稿検知角度に到達したことを検知する。スキャンモータ１０９は画像読取部２０１に備えられた読取ユニットを所定の方向に走査させる駆動力を発生する。
【００２５】
図３は図１に示した複写機システムに備えられた画像読取部の概略構成を示す上面図である。
【００２６】
画像読取部２０１は、原稿台ガラス２０６の原稿載置側と反対側に原稿の画像を光学的に読取る読取ユニット３０１と読取ユニット３０１を駆動する駆動部３０２と原稿台ガラス２０６上に載置された原稿の矢印Ｙ方向のサイズを検知するセンサ３０３を備える。
【００２７】
読取ユニット３０１は、原稿に光を照射する光源３０１ａ（ＬＥＤ等）と、光源３０１ａから原稿に光を照射し、原稿により反射された光を受光するイメージセンサ３０１ｂとを備え、原稿台ガラス２０６上に載置された原稿を読取る。光源３０１ａは矢印Ｘ方向（主走査方向）に沿って配置され、イメージセンサ３０１ｂも複数の光電変換素子（読取素子）を主走査方向に並べて配列している。なお、光電変換素子は、受光した光をその受光強度に従って電気信号に変換する。読取ユニット３０１は、上述のような構造に限定されず、従来から知られている他の構造を採用しても良い。
【００２８】
また、駆動部３０２は、矢印Ｙ方向（副走査方向）に読取ユニット３０１に移動させるもので、モータ３０２ａと、ベルト３０２ｂと、ガイドレール３０２ｃとを備える。ガイドレール３０２ｃは、主走査方向Ｘと直角な方向である副走査方向Ｙに沿って配置されている。読取ユニット３０１は、駆動部３０２のモータ３０２ａの駆動により、ベルト３０２ｂを介しガイドレール３０２ｃに沿って、往復移動が可能である。図３が示すように、読取ユニット３０１は副走査方向に位置Ａと位置Ｃとの間を往復移動でき、その中間の位置Ｂで読取ユニット３０１の移動を停止させることも可能である。
【００２９】
原稿サイズセンサ３０３は原稿台ガラス２０６上に載置された原稿の副走査方向のサイズを検知するために、副走査方向に沿って複数個（図３の例では２つ、３０３ａと３０３ｂ）並べて配置され、原稿を検知したセンサの位置からそのサイズを判別できる。
【００３０】
図４は副走査方向に原稿を所定ライン数分、読取って得られる画像を示す図である。
【００３１】
ＡＤＦ２０２が開閉された際に、駆動部３０２は読取ユニット３０１を原稿台ガラス２０６に載置された原稿の主走査方向のサイズを検知できる所定位置に移動させる。そして、光源３０１ａより原稿に光を原稿台ガラス２０６の下側より照射しイメージセンサ３０１ｂで原稿からの反射された光を光電変換素子により検知して、所定ライン数分の画像の読取りを行う。
【００３２】
この画像読取によって、図４に示すように、原稿のサイズに従って、主走査方向に、Ａ４Ｒ、Ｂ５Ｒ、Ａ５（Ａ４Ｒ）、Ｂ５（Ｂ４）、Ａ４（Ａ３）に縦（又は横）サイズに相当する画像データが得られる。図４に示す例は、Ａ４サイズの原稿が横向きに原稿台ガラス２０６に載置された場合に得られる画像データを示している。
【００３３】
図５は主走査方向に関する原稿のサイズと画像読取により得られた主走査方向の輝度との関係を示す図である。なお、図５は、原稿カバー（ＡＤＦ）を閉じた場合に得られる関係を示している。
【００３４】
図５に示す例は、原稿台ガラス２０６にＡ４Ｒサイズ又はＡ５サイズの原稿を図４に示すように原稿台ガラス２０６の左上端に突き当てて載置し、画像読取を行った場合に得られる主走査方向の輝度分布を示している。図５に示されているように、原稿がＡ４Ｒ又はＡ５の端部で輝度値に不連続点が見られる。その不連続点の左側は原稿が存在するので、原稿からの反射光を反映した輝度値となっており、その右側は原稿が存在しないのでＡＤＦ２０２に設けられた白色の原稿押圧部材からの反射光を反映した輝度値となっている。
【００３５】
図５に示す例では、原稿からの反射光を反映した輝度値と原稿押圧部材からの反射光を反映した輝度値との差がいくらか強調されているが、原稿の色が原稿押圧部材と同様に白又は白に近い色である場合、その差は小さい。このため、その差から原稿の端部を検出することは難しい。一方、原稿押圧部材は滑らかな表面をもつので、原稿押圧部材からの反射光を反映した輝度値の変動は小さい。これに対して、原稿（例えば、記録用紙）は微視的には、紙の繊維などにより形成される特有のパターンをもっているので、そのパターンに依存して原稿からの反射光を反映した輝度値は変動する。紙の繊維などにより形成される特有のパターンは紙紋と呼ばれている。
【００３６】
このように、紙紋が存在する原稿からの反射光を反映した輝度値の変動と、紙紋が存在しない原稿押圧部材からの反射光を反映した輝度値の変動とを比較すると、これらの変動は互いに異なる。従って、紙紋が存在する領域と紙紋が存在しない領域との境界を検出することにより、主走査方向の原稿サイズを検出することができる。
【００３７】
図５は原稿台ガラス２０６にＡ４Ｒサイズ又はＡ５サイズの原稿を載置した例を示しているが、Ａ５Ｒ、Ｂ５Ｒ、Ｂ５（Ｂ４）、Ａ４（Ａ３）の原稿を載置した場合には、図５に図示されたそれぞれの位置で輝度値変動の不連続性が検出される。つまり、輝度分布の不連続性が検出される位置は原稿の主走査方向のサイズが特定できる場所となっており、図４に示すように、原稿のサイズに従って不連続性が検出される位置の境界が異なる画像が形成される。
【００３８】
次に、以上の構成の複写機システムにおける原稿サイズ検知について説明する。
【００３９】
図６は主走査方向の原稿サイズ検出処理を示すフローチャートである。この処理を実行するプログラムはＲＯＭ１０３に格納されており、ＣＰＵ１０１がこの処理プログラムを読出し実行することにより、主走査方向の原稿サイズが検出される。
【００４０】
まず、ステップＳ６０１では、紙紋対策処理を非設定にする。通常の画像読取処理では、原稿の境界が画像として顕在化するのは好ましくない。このため、光源の輝度調整や光電変換素子のゲイン調整などにより原稿の紙紋が読取画像上に現れないようにしている。この処理を紙紋対策処理と呼んでいる。一方、この実施形態において、主走査方向の原稿サイズを検出するためには、その紙紋の検出が重要になるので、主走査方向の原稿サイズ検出処理では、その紙紋対策処理が実行されないようにその実行を非設定としている。
【００４１】
次に、ステップＳ６０２では、光源３０１ａを発光させ読取ユニット３０１で副走査方向に所定ライン数分の画像を取得する。さらに、ステップＳ６０３では、読取られた画像から得られた画像データを（例えば、副走査方向には平均化して）主走査方向に関する輝度分布を求める。そして、その輝度分布の変動が所定の輝度値範囲にあるかどうかを調べる。そして、その輝度分布の変動が所定の輝度値範囲内に収まる場合（例えば、図５の左側の輝度変動）、紙紋があるものとし原稿が存在する範囲と判断する。これに対して、その所定の輝度値範囲から外れて、かつ所定の閾値より輝度値が高い部分は指紋がなく原稿が存在しない範囲と判断する。
【００４２】
なお、上記の判断は、例えば、輝度値の主走査方向に関する微分値を所定の閾値範囲と比較し、その微分値がその閾値範囲か否かにより判断することができる。
【００４３】
その後、ステップＳ６０４では、原稿の存在する箇所と存在しない箇所の境界から主走査方向のサイズを特定する。ここでは、図４に示したような主走査方向の各位置における原稿サイズが判定できるテーブル等を、ＲＡＭ１０２等に保存しておき、それに基づいて主走査方向のサイズを特定する。ステップＳ６０５では、主走査方向のサイズを確定できたかどうかを調べる。ここで、その値を確定できたなら、処理はステップＳ６０６に進み、主走査方向のサイズをメモリ（ＲＡＭ１０２）に保存し、その値を確定できないなら、処理はステップＳ６０７に進み、主走査方向のサイズを不定とする。
【００４４】
以上説明した原稿サイズ検出処理は、原稿カバー（ＡＤＦ）が閉状態である場合、開状態である場合のどちらにおいても対応できる。これは、原稿カバー（ＡＤＦ）の開閉状態に係らず、原稿が有る領域と無い領域とでは紙紋の有無によって輝度分布の変動が異なるためである。この紙紋の有無を判定することにより、原稿カバーが閉状態である場合においても開状態にある場合においても、より精度よく原稿の紙図検出を行うことができる。
【００４５】
図７は原稿のサイズ検出処理を示すフローチャートである。この処理を実行するプログラムはＲＯＭ１０３に格納されており、ＣＰＵ１０１がこの処理プログラムを読出し実行することにより、原稿サイズが検出される。
【００４６】
まず、ステップＳ７０１では、読取ユニット３０１を原稿サイズ検知位置（例えば、図３における位置Ａ）に移動させ、ステップＳ７０２では、読取ユニット３０１を使って主走査方向のサイズを検知する。このとき、副走査方向に所定ライン数の画像を読取るため読取ユニット３０１を位置Ａから位置Ｂに移動させながら、主走査方向のサイズ検知を行うために用いる画像データを取得する。
【００４７】
その後、ステップＳ７０３では、原稿サイズセンサ３０３ａ〜３０３ｂを用いて原稿の副走査方向のサイズを検知する。さらに、ステップＳ７０４では、ステップＳ７０２とＳ７０３においてそれぞれ検知された主走査方向のサイズと副走査方向のサイズの両方の情報に基づいて原稿サイズを決定する。
【００４８】
その後、ステップＳ７０５では、読取ユニット３０１を読取待機位置（例えば、図３における位置Ａ）へ移動させる。
【００４９】
なお、この実施例では、図３に示したように、２つの原稿サイズセンサ３０３ａ〜３０３ｂを用いて副走査方向のサイズを用いたが、図６を参照して説明した主走査方向のサイズを検知する方法を副走査方向のサイズ検知に適用しても良い。即ち、読取ユニット３０１を図３に示す位置Ａから位置Ｃまで移動させながら画像データを取得すると、副走査方向に関しても輝度分布を求めることができる。そして、その輝度分布から副走査方向に関して紙紋が存在する領域と紙紋が存在しない領域とを求め、これら２つの領域の境界を検出することで、副走査方向に関する原稿サイズを求めることができる。
【００５０】
従って以上説明した実施例に従えば、原稿の紙紋に基づいて原稿のサイズを検出することができるため、原稿カバーの開閉状態に係らず原稿の主走査方向のサイズをその原稿の紙紋に基づいて検出することができる。さらに、副走査方向のサイズに関しても、その原稿の紙紋に基づいて検出することも可能であるし、別のセンサを用いて検出することができる。いずれにしても、以上説明した実施例に従えば、原稿カバーが閉じられたままの状態であっても開状態であっても原稿サイズを精度よく求めることができる。
【００５１】
なお、上述したフローチャートの処理は単なる一例であり、そのフローチャートの処理と同等の結果を得ることができるものであれば、他の処理を用いて原稿のサイズを検出してもよい。
【００５２】
＜他の実施例＞
上述の実施例では、原稿カバーの開閉状態に係らず原稿サイズを求める例について説明した。ここでは、原稿カバー（ＡＤＦ）を開き、原稿台ガラス２０６に原稿を載置し、その後、原稿カバー（ＡＤＦ）を閉じるという通常の動作の中で原稿サイズを検出する処理について説明する。
【００５３】
図８はＡＤＦ開閉時の原稿サイズ検出処理を示すフローチャートである。この処理を実行するプログラムはＲＯＭ１０３に格納されており、ＣＰＵ１０１がこの処理プログラムを読出し実行することにより、原稿サイズが検出される。
【００５４】
まず、ステップＳ８０１では、原稿カバー（ＡＤＦ２０２）が開状態かどうかを調べ、開状態であると判断された場合、処理はステップＳ８０２に進み、駆動部３０２により読取ユニット３０１を原稿サイズ検知位置に移動させる。次に、ステップＳ８０３では（原稿が原稿台ガラス２０６に載置され）、原稿カバーが閉め始められたかどうかを調べる。ここで、原稿カバー開閉センサ１０８からの出力に基づいて、原稿カバーの開放角度が所定角度以下となり、原稿カバーが閉め始められたと判断された場合、処理はステップＳ８０４に進む。
【００５５】
ステップＳ８０４では、原稿カバーが閉め始められたと判断されたタイミングで、図７を参照して説明したように、原稿の主走査方向のサイズと副走査方向のサイズの両方を検知して原稿サイズを求める。そして、ステップＳ８０５では、その検知結果を検知データ１として保存する。
【００５６】
さらに、ステップＳ８０６では、原稿カバー開閉センサ１０８からの出力に基づいて、原稿カバーが完全に閉められたかを調べる。ここで、原稿カバーが完全に閉められたと判断された場合、処理はステップＳ８０７に進み、ステップＳ８０４と同様にして再び原稿の主走査方向のサイズと副走査方向のサイズの両方を検知して原稿サイズを求める。そして、ステップＳ８０８では、その検知結果を検知データ２として保存する。
【００５７】
ステップＳ８０９では、保存された検知データ１と検知データ２とを比較し、ステップＳ８１０では、その比較結果に基づいて原稿サイズを決定する。例えば、図６に示したフローチャートから示唆されるように、サイズ検知用のデータが１つしかない場合、主走査方向のサイズが確定されない場合もある。同様に、副走査方向のサイズについても確定されない場合がある。例えば、原稿の表面が非常に滑らかであり、主走査方向又は副走査方向に関する輝度分布において、輝度値変動が少なく紙紋の領域が特定されない場合がこれに相当する。従って、ステップＳ８０９で検知データ１と検知データ２とを比較し、それぞれのデータに差があるか否かを判定する。そして、ステップＳ８１０において、検知データ１と検知データ２とに差がある場合、その差に基づいて原稿サイズを特定する。
【００５８】
その後、ステップＳ８１１では、読取ユニット３０１を読取待機位置へ移動させる。
【００５９】
従って以上説明した実施例に従えば、原稿カバーが閉じられる過程において複数回、原稿サイズ検知を行い、複数の検知データを比較することで、より正確に原稿サイズを検知することができる。
【００６０】
なお、本発明は上述した実施例に限定されるものではなく、本発明の要旨を逸脱しない範囲内で種々の改良、変形が可能である。
【００６１】
また、上述した実施例では、画像読取装置（スキャナ装置）と画像形成装置（ＬＢＰ）とＡＤＦ装置が一体化した複写機システムを例として説明したが本発明はこれによって限定されるものではない。本発明は、例えば、単機能の画像読取装置（スキャナ装置）にも適用できるし、さらに複写機システムにファクシミリ機能を加えた複合システムとしても良い。そして、これらシステムの画像形成部には電子写真方式に従うプリンタエンジンのみならず、インクジェット記録方式を採用したプリンタエンジンを備えても良い。
【００６２】
また、上述した実施例では、読取ユニット３０１のイメージセンサ３０１ｂによる受光結果から、原稿の紙紋及び原稿サイズを判定する構成としたが本発明はこれによって限定されるものではない。例えば、原稿画像を読取るための読取センサではなく、原稿サイズを検知するために原稿の紙紋読取りを行うように光源からの反射光を受光するようなセンサを別途設ける構成であってもよい。
【符号の説明】
【００６３】
１００  システムバス、１０１  ＣＰＵ、１０２  ＲＡＭ、１０３  ＲＯＭ、
１０４  通信Ｉ／Ｆ、１０８  原稿カバー開閉センサ、１０９  スキャンモータ、
２００  画像形成部、２０１  画像読取部、２０２  自動原稿給送部（ＡＤＦ）、
２０３  原稿トレイ、２０４  原稿検知センサ、２０５  ヒンジ、
２０６  原稿台ガラス、２０７  操作パネル、３０１  読取ユニット、３０１ａ  光源、
３０１ｂ  イメージセンサ、３０２  駆動部、３０２ａ  モータ、３０２ｂ  ベルト、
３０２ｃ  ガイドレール、３０３ａ  原稿サイズセンサ、３０３ｂ  原稿サイズセンサ
【図１】
2018088603.tif 000003
【図２】
2018088603.tif 000004
【図３】
2018088603.tif 000005
【図４】
2018088603.tif 000006
【図５】
2018088603.tif 000007
【図６】
2018088603.tif 000008
【図７】
2018088603.tif 000009
【図８】
2018088603.tif 000010